(57)【要約】【課題】ディスクに対するフォーマット情報の記録又は再記録を確実に実施させ、かつ、無駄なＯＰＣ動作を抑止するディスク記録再生装置を提供する。【解決手段】ＯＰＣパターン発生部８ｂにより作成されたＯＰＣ情報を、ＯＰＣパターン記録部８ｃにてディスク１上のＯＰＣ領域に記録条件を変更しながら順次記録し、再生信号状態測定部８ｄにて記録された該ＯＰＣ情報を再生させ、再生信号の振幅情報、誤り率等を測定し、最適記録条件決定部８ｅにて予め定められた基準値との比較照合を行なって最適な記録条件を獲得するというＯＰＣ動作を、ディスク１にフォーマット情報を最初に記録するディスク初期化動作及び／又は再記録する再フォーマット動作に先立って、実施させる。更に、ディスク初期化動作及び／又は再フォーマット動作に先立つ場合にのみ、ＯＰＣ動作を実施させ、ディスクのローディング動作や情報の記録動作に先立ってはＯＰＣ動作を実施させない。【選択図】        図１
2004199746.tif 000002
【特許請求の範囲】
【請求項１】
ディスク形状の記録媒体（以下、ディスクと記す）上にレーザ光を集光させ、情報を記録再生することができるディスク記録再生装置において、最適な記録条件を検出するために予め指定されているパターンからなるＯＰＣ（Optimum  Power  Control：以下、ＯＰＣと記す）情報を、発生させるＯＰＣパターン発生手段と、該ＯＰＣパターン発生手段により発生された前記ＯＰＣ情報を、前記ディスク上の所定位置に予め設けられているＯＰＣ領域に、記録条件を変化させながら、記録させるＯＰＣパターン記録手段と、該ＯＰＣパターン記録手段により記録された前記ＯＰＣ情報を再生させた際の再生信号の状態を、予め定められた所定の測定方法を用いて、測定する再生信号状態測定手段と、該再生信号状態測定手段の測定結果に基づいて、最適記録条件を決定する最適記録条件決定手段とを備えることにより、前記ディスク上へ情報を記録する際の最適記録条件を検出し決定するＯＰＣ動作が、前記ディスク上に物理的なあるいは論理的なフォーマット情報を最初に記録するディスク初期化動作に先立って、実行されて、該ＯＰＣ動作により決定された前記最適記録条件に基づいて、前記ディスク初期化動作が行なわれることを特徴とするディスク記録再生装置。
【請求項２】
ディスク形状の記録媒体（以下、ディスクと記す）上にレーザ光を集光させ、情報を記録再生することができるディスク記録再生装置において、最適な記録条件を検出するために予め指定されているパターンからなるＯＰＣ（Optimum  Power  Control：以下、ＯＰＣと記す）情報を、発生させるＯＰＣパターン発生手段と、該ＯＰＣパターン発生手段により発生された前記ＯＰＣ情報を、前記ディスク上の所定位置に予め設けられているＯＰＣ領域に、記録条件を変化させながら、記録させるＯＰＣパターン記録手段と、該ＯＰＣパターン記録手段により記録された前記ＯＰＣ情報を再生させた際の再生信号の状態を、予め定められた所定の測定方法を用いて、測定する再生信号状態測定手段と、該再生信号状態測定手段の測定結果に基づいて、最適記録条件を決定する最適記録条件決定手段とを備えることにより、前記ディスク上へ情報を記録する際の最適記録条件を検出し決定するＯＰＣ動作が、ユーザからの指示により、前記ディスク上に記録されている論理的なフォーマット情報を書き換える再フォーマット動作に先立って、実行されて、該ＯＰＣ動作により決定された前記最適記録条件に基づいて、前記再フォーマット動作が行なわれることを特徴とするディスク記録再生装置。
【請求項３】
請求項１又は２に記載のディスク記録再生装置において、記録可能な前記ディスク上に物理的なあるいは論理的な前記フォーマット情報を最初に記録する前記ディスク初期化動作に先立つ場合、及び／又は、ユーザからの指示により、記録可能な前記ディスク上に記録されている論理的なフォーマット情報を書き換える再フォーマット動作に先立つ場合、のいずれかの場合にのみ、前記ＯＰＣ動作が行なわれることを特徴とするディスク記録再生装置。
【請求項４】
請求項１乃至３のいずれかに記載のディスク記録再生装置において、前記ＯＰＣパターン発生手段が発生させる前記ＯＰＣ情報の前記パターンが、予め定められた固定パターンあるいは任意のランダムパターンであることを特徴とするディスク記録再生装置。
【請求項５】
請求項４に記載のディスク記録再生装置において、前記再生信号状態測定手段が用いる前記所定の測定方法として、前記ＯＰＣパターン発生手段が発生させる前記ＯＰＣ情報の前記パターンが予め定められた固定パターンである場合には、前記再生信号の振幅情報の測定を行なうものであり、前記ＯＰＣパターン発生手段が発生させる前記ＯＰＣ情報の前記パターンが任意のランダムパターンである場合には、前記再生信号のジッタ値及び／又はデータ誤り率の測定を行なうものであることを特徴とするディスク記録再生装置。
【請求項６】
請求項５に記載のディスク記録再生装置において、前記最適記録条件決定手段が決定する前記最適記録条件として、前記再生信号状態測定手段が用いる前記所定の測定方法が前記再生信号の振幅情報の測定を行なうものである場合には、前記再生信号状態測定手段の測定結果が予め定められた基準値に合致又は最も近接する記録条件を選択し、選択された前記記録条件がそのままあるいは前記基準値との近接度合いに基づいて補正した記録条件が適用され、前記再生信号状態測定手段が用いる前記所定の測定方法が前記再生信号のジッタ値及び／又はデータ誤り率の測定を行なうものである場合には、前記再生信号状態測定手段の測定結果が予め定められた基準値以下となっていて、かつ、最小の値を示す記録条件が適用されることを特徴とするディスク記録再生装置。
【請求項７】
請求項１乃至６のいずれかに記載のディスク記録再生装置において、前記ディスクが、記録膜の状態が結晶状態か非結晶状態かにより情報の記録を行なう相変化材料からなる記録媒体であることを特徴とするディスク記録再生装置。
【請求項８】
ディスク形状の記録媒体（以下、ディスクと記す）上にレーザ光を集光させ、情報を記録再生することができるディスク記録再生方法において、最適な記録条件を検出するために予め指定されているパターンからなるＯＰＣ（Optimum  Power  Control：以下、ＯＰＣと記す）情報を、発生させるＯＰＣパターン発生ステップと、該ＯＰＣパターン発生ステップにより発生された前記ＯＰＣ情報を、前記ディスク上の所定位置に予め設けられているＯＰＣ領域に、記録条件を変化させながら、記録させるＯＰＣパターン記録ステップと、該ＯＰＣパターン記録ステップにより記録された前記ＯＰＣ情報を再生させた際の再生信号の状態を、予め定められた所定の測定方法を用いて、測定する再生信号状態測定ステップと、該再生信号状態測定ステップの測定結果に基づいて、最適な記録条件を決定する最適記録条件決定ステップとを備えることにより、前記ディスク上へ情報を記録する際の最適な記録条件を検出し決定するＯＰＣ動作が、前記ディスク上に物理的なあるいは論理的なフォーマット情報を最初に記録するディスク初期化動作に先立って、実行されて、該ＯＰＣ動作により決定された最適な記録条件に基づいて、前記ディスク初期化動作が行なわれることを特徴とするディスク記録再生方法。
【請求項９】
ディスク形状の記録媒体（以下、ディスクと記す）上にレーザ光を集光させ、情報を記録再生することができるディスク記録再生方法において、最適な記録条件を検出するために予め指定されているパターンからなるＯＰＣ（Optimum  Power  Control：以下、ＯＰＣと記す）情報を、発生させるＯＰＣパターン発生ステップと、該ＯＰＣパターン発生ステップにより発生された前記ＯＰＣ情報を、前記ディスク上の所定位置に予め設けられているＯＰＣ領域に、記録条件を変化させながら、記録させるＯＰＣパターン記録ステップと、該ＯＰＣパターン記録ステップにより記録された前記ＯＰＣ情報を再生させた際の再生信号の状態を、予め定められた所定の測定方法を用いて、測定する再生信号状態測定ステップと、該再生信号状態測定ステップの測定結果に基づいて、最適な記録条件を決定する最適記録条件決定ステップとを備えることにより、前記ディスク上へ情報を記録する際の最適な記録条件を検出し決定するＯＰＣ動作が、ユーザからの指示により、前記ディスク上に記録されている論理的なフォーマット情報を書き換える再フォーマット動作に先立って、実行されて、該ＯＰＣ動作により決定された最適な記録条件に基づいて、前記再フォーマット動作が行なわれることを特徴とするディスク記録再生方法。
【請求項１０】
請求項８又は９に記載のディスク記録再生方法において、記録可能な前記ディスク上に物理的なあるいは論理的な前記フォーマット情報を最初に記録する前記ディスク初期化動作に先立つ場合、及び／又は、ユーザからの指示により、記録可能な前記ディスク上に記録されている論理的なフォーマット情報を書き換える再フォーマット動作に先立つ場合、のいずれかの場合にのみ、前記ＯＰＣ動作が行なわれることを特徴とするディスク記録再生方法。
【請求項１１】
ディスク形状の記録媒体（以下、ディスクと記す）上にレーザ光を集光させ、情報を記録再生する動作を制御するディスク記録再生プログラムにおいて、請求項８乃至１０のいずれかに記載の前記ディスク記録再生方法を、コンピュータにより実施させることが可能な制御プログラムとして備えていることを特徴とするディスク記録再生プログラム。
【請求項１２】
請求項１１に記載の前記ディスク記録再生プログラムを記録させていることを特徴とするコンピュータ読み取り可能なプログラム記録媒体。
【発明の詳細な説明】
【０００１】
【発明の属する技術分野】
本発明は、ディスク記録再生装置、ディスク記録再生方法、ディスク記録再生プログラム及びプログラム記録媒体に関し、特に、ディスク上に情報を記録する際の最適な記録条件（即ち、記録レーザパワー最適条件）を獲得するためのＯＰＣ（Optimum  Power  Control）動作を行なうディスク記録再生装置、ディスク記録再生方法、ディスク記録再生プログラム及びプログラム記録媒体に関する。例えば、ＣＤ−ＲＷやＤＶＤ−ＲＷに代表される書き換え可能なディスクに対する最適な記録条件を獲得するＯＰＣ動作を行なうディスク記録再生装置、ディスク記録再生方法、ディスク記録再生プログラム及びプログラム記録媒体に関わる。
【０００２】
【従来の技術】
最近では、ディスク形状からなる記録媒体として、記録可能な光磁気ディスクや光ディスクが普及している。かかる光磁気ディスクや光ディスク（以下、ディスクと略記する）に対して記録される情報の信頼性を確保するために、かかるディスク上に情報を記録させる動作を行なうディスク記録再生装置にあっては、ディスク上への情報の記録動作に先立って、最適な記録レーザパワー（即ち、ディスク上へ情報を記録する際の最適な記録条件）を獲得させるための動作であるＯＰＣ（Optimum  Power  Control）動作を行なうことができるように構成されている場合が多い。
【０００３】
ここで、ＯＰＣ動作とは、ディスク上の所定の位置に予め設けられた領域即ちディスク上の記録領域に形成される所定位置のセクタ（以下、ＯＰＣ領域と称する）に対して、記録条件を変化させながら、ランダムパターンあるいは固有の固定パターン（即ち、ディスク製造メーカ又はディスク記録再生装置の製造メーカ又はユーザにより予め指定されているパターン）からなるＯＰＣ情報の記録を行ない、しかる後に直ちに各種記録条件に基づいて前記ＯＰＣ領域に記録された前記ＯＰＣ情報を再生し、予め定められた所定の測定方法を用いて、予め定められている所定のパラメータを測定することによって、最適な記録レーザパワーを求める（即ち、ディスク上へ情報を記録する際の最適な記録条件を検出し決定する）動作のことである。
【０００４】
かかるＯＰＣ動作を行なうことによって、ディスクとディスク記録再生装置のピックアップとの特性の差に基づいて発生する最適な記録レーザパワーのばらつきやディスクの半径方向の位置により発生する最適な記録レーザパワーのばらつき、あるいは、周囲温度の変化により発生する最適な記録レーザパワーの変化といった変化要因を補償することを可能とし、ディスク上に記録される情報の信頼性を確保することができる。
【０００５】
例えば、ディスクとピックアップとの特性の差による最適記録レーザパワーのばらつきを補償するためには、下記の特許文献１あるいは特許文献２等に開示されている従来技術にあるように、ディスクをディスク記録再生装置に装着し情報の記録を可能とする準備が完了した後、即ち、「ディスクのローディング」動作が完了した後において、ＯＰＣ動作を行なうこととすれば十分である。一方、周囲温度の変化による最適記録レーザパワーの変化を補償するためには、特許文献１あるいは特許文献２あるいは特許文献３等に開示されている従来技術にあるように、ディスク上への情報の記録動作の開始時又はエラー検出時更には予め定められた所定の閾値以上の温度変化を検知した際に、ＯＰＣ動作を行なうこととすれば良い。
【０００６】
【特許文献１】
特開平１０−１１２０７６号公報（第５頁）
【特許文献２】
特開平１１−１４４２４９号公報（第７頁、第６図）
【特許文献３】
特開平１１−０４５４４０号公報（第７−４頁、第８図）
【０００７】
【発明が解決しようとする課題】
ＤＶＤ−Ｒ、ＤＶＤ−ＲＷ、ＣＤ−Ｒ、ＣＤ−ＲＷなどの光ディスクに代表されるディスクにおいては、ディスクの内周部分に固定サイズからなるＯＰＣ動作専用の領域であるＯＰＣ領域が予め用意されている。該ＯＰＣ領域のサイズは当然有限であるために、１枚のディスクに対して実行することができるＯＰＣ動作の実施回数も勿論有限の回数に限定されている。
【０００８】
従って、かくのごとき有限の固定サイズからなる前記ＯＰＣ領域が割り当てられているディスクにおいては、ディスク上に記録される情報の信頼性を確保すべく最適な記録レーザパワーや最適な記録パルス幅を出力できるように、最適な記録条件（最適な記録レーザパワーや最適な記録パルス幅）を獲得せんとする余り、情報の各記録動作開始の都度、毎回行なわなせるような無駄なＯＰＣ動作の実施を抑止し、真に必要とする際に確実にＯＰＣ動作を実施できるように、ＯＰＣ動作の実施回数をできる限り少なくすることが必要である。特に、書き換え（オーバライト）動作や消去動作が可能なＤＶＤ−ＲＷ、ＣＤ−ＲＷなどの書き換え可能ディスクにおいては、１枚のディスクに対する記録回数が非常に多くなるため、注意が必要である。
【０００９】
しかしながら、例えば、前記特許文献１，２等に記載されているような従来技術にあっては、１枚のディスクに対する情報の記録回数の有無に関わらず、ディスクをディスク記録再生装置にローディングする都度、ＯＰＣ動作が自動的に実施されてしまう形態とされているために、ＯＰＣ領域の消費量が激しくなり、ＯＰＣ動作を真に必要とする記録動作を実施せんとする場面において、既にＯＰＣ領域が使い切られた状態に至っていて、最適な記録条件を検出し決定するためのＯＰＣ動作を行なうことができないという問題があった。
【００１０】
一方、民生用の動画情報や音声情報等を記録するディスク記録再生装置の場合においては、ユーザの記録要求（例えば、記録要求ボタン「Ｒｅｃボタン」の押下）がなされてから、実際に記録動作が開始されるまでのタイムラグを、理想的な状態（即ち、略０秒）に設定するために、該記録要求の発生時点から記録準備が完了し実際の記録動作が開始されるまでの間にディスク記録再生装置に入力されてくる記録用の情報（即ち、ユーザが要求している記録すべき動画情報や音声情報）をディスク記録再生装置内に設けられているバッファメモリに一時的に蓄えておくように構成されている。また、何らかの理由により記録動作が中断した場合にも、ユーザの記録再開要求から記録動作再開の準備が完了し記録動作が開始されるまでの間にディスク記録再生装置に入力されてくる記録用の情報もディスク記録再生装置内の前記バッファメモリに一時的に蓄えておくことが必要である。
【００１１】
ここで、情報の記録開始や記録再開等において記録準備動作の一環として実施される通常のＯＰＣ動作の実行時間としては、１００〜２００ｍｓｅｃ程度必要となる。而して、記録要求又は記録再開要求の発生時点から記録動作の開始時点までのタイムラグを、理想状態（即ち、略０秒）に設定するためには、ディスク記録再生装置内に１００〜２００ｍｓｅｃの動画情報や音声情報が蓄積可能なバッファメモリを備えることが必要である。更には、かかる場合のみに限らず、ディスク上への情報の記録動作中においても、周囲温度の上昇に伴いＯＰＣ動作が必要になる場合に備えて、ディスク内周部に設けられたＯＰＣ領域へのアクセス時間（ピックアップの記録位置からの移動時間であるシーク時間）も含め、数百ｍｓｅｃ〜数秒にも及ぶ膨大な容量のバッファメモリが必要となる。
【００１２】
かくのごとく、記録開始や記録再開時あるいは記録動作中にＯＰＣ動作を行なうという従来の方法を、民生用の動画情報や音声情報を記録するディスク記録再生装置にも適用した場合、ディスク記録再生装置内に設けられるべきバッファメモリのサイズは大幅な増大を招き、結果として、ディスク記録再生装置のコストが大幅に増大してしまう。
【００１３】
更に、ＯＰＣ動作を行なうためには、ＯＰＣ領域へのアクセス等、例えば、ディスク内周部のＯＰＣ領域と記録領域との間のピックアップの移動などのように、機械的な動作が必要となってくるため、ＯＰＣ動作の動作時間にばらつきが生じ易い。特に、かかる機械的な動作を伴うＯＰＣ領域へのアクセスエラーが頻発した場合には、ＯＰＣ動作に要する動作時間が極端に長くなるために、ディスク記録再生装置内のバッファメモリがオーバフローを起こし、ディスクに記録すべき動画情報や音声情報が喪失されてしまい、記録途中で途切れが生じてしまったり、記録開始直後において記録されなかったりする問題も生じてしまう。
【００１４】
また、ディスク上に情報（ユーザデータ）を記録する動作に先立って、物理的な及び論理的なフォーマット情報をディスク上に記録させる、いわゆる、ディスクの初期化動作、あるいは、一旦記録しているフォーマット情報を書き換える、いわゆる、再フォーマット動作を行なう場合が多い。
【００１５】
しかしながら、情報（ユーザデータ）の記録動作や記録再開動作あるいは記録動作中においてＯＰＣ動作を行なうような、前述のごとき従来技術の場合においては、かかるディスクの初期化動作あるいは再フォーマット動作に先立って、最適な記録条件を獲得するＯＰＣ動作が実施されることはなく、ディスク初期化動作あるいは再フォーマット動作はディスクメーカが推奨している推奨記録条件に基づいて実行されている場合が多い。従って、前述のごとく、例えば、ディスクとディスク記録再生装置のピックアップとの特性の差や周囲温度の変化等に伴い、記録特性に変動があった場合に、かかる推奨記録条件を用いたディスク初期化動作によっては、物理的な及び論理的なフォーマット情報をディスク上に正しく記録させることができず、最悪の場合には、ディスクの初期化に失敗してしまい、当該ディスクが使用不可能なディスクになってしまうという問題がある。
【００１６】
本発明は、かかる問題に鑑みてなされたものであり、ディスクの初期化動作及び／又は再フォーマット動作に先立って、最適な記録条件を検出し決定するＯＰＣ動作を行なわせることにより、ディスクの初期化動作（即ち、物理的なあるいは論理的なフォーマット情報の最初の記録動作）及び／又は再フォーマット動作（即ち、ディスク上に記録されている論理的なフォーマット情報の書き換え動作）を確実に実施することを可能とすると共に、ディスクの初期化動作及び／又は再フォーマット動作に限って先行してＯＰＣ動作を行なわせ、ディスクのローディング時やディスク上への情報（データ）の記録動作や記録再開あるいは記録動作中には、ＯＰＣ動作を一切実施させないこととし、もって、１枚のディスクに対する無駄なＯＰＣ動作の実施回数を削減させることにより、ＯＰＣ領域をオーバフローさせる事態の発生頻度を低減させ、真に必要とする際にのみ確実にＯＰＣ動作を実施可能にせんとするものである。
而して、ディスクに記録した情報（データ）に対する信頼性を確保することを可能とするのみならず、ディスクへの情報の記録再生を行なうディスク記録再生装置に備えるべきバッファメモリの容量を大幅に低減可能として、これに伴うディスク記録再生装置の製造コストを低減することを可能にせんとするものである。
【００１７】
【課題を解決するための手段】
第１の発明は、ディスク形状の記録媒体（以下、ディスクと記す）上にレーザ光を集光させ、情報を記録再生することができるディスク記録再生装置において、最適な記録条件を検出するために予め指定されているパターンからなるＯＰＣ（Optimum  Power  Control：以下、ＯＰＣと記す）情報を、発生させるＯＰＣパターン発生手段と、該ＯＰＣパターン発生手段により発生された前記ＯＰＣ情報を、前記ディスク上の所定位置に予め設けられているＯＰＣ領域に、記録条件を変化させながら、記録させるＯＰＣパターン記録手段と、該ＯＰＣパターン記録手段により記録された前記ＯＰＣ情報を再生させた際の再生信号の状態を、予め定められた所定の測定方法を用いて、測定する再生信号状態測定手段と、該再生信号状態測定手段の測定結果に基づいて、最適記録条件を決定する最適記録条件決定手段とを備えることにより、前記ディスク上へ情報を記録する際の最適記録条件を検出し決定するＯＰＣ動作が、前記ディスク上に物理的なあるいは論理的なフォーマット情報を最初に記録するディスク初期化動作に先立って、実行されて、該ＯＰＣ動作により決定された前記最適記録条件に基づいて、前記ディスク初期化動作が行なわれるディスク記録再生装置とすることを特徴とするものである。
【００１８】
第２の発明は、ディスク形状の記録媒体（以下、ディスクと記す）上にレーザ光を集光させ、情報を記録再生することができるディスク記録再生装置において、最適な記録条件を検出するために予め指定されているパターンからなるＯＰＣ（Optimum  Power  Control：以下、ＯＰＣと記す）情報を、発生させるＯＰＣパターン発生手段と、該ＯＰＣパターン発生手段により発生された前記ＯＰＣ情報を、前記ディスク上の所定位置に予め設けられているＯＰＣ領域に、記録条件を変化させながら、記録させるＯＰＣパターン記録手段と、該ＯＰＣパターン記録手段により記録された前記ＯＰＣ情報を再生させた際の再生信号の状態を、予め定められた所定の測定方法を用いて、測定する再生信号状態測定手段と、該再生信号状態測定手段の測定結果に基づいて、最適記録条件を決定する最適記録条件決定手段とを備えることにより、前記ディスク上へ情報を記録する際の最適記録条件を検出し決定するＯＰＣ動作が、ユーザからの指示により、前記ディスク上に記録されている論理的なフォーマット情報を書き換える再フォーマット動作に先立って、実行されて、該ＯＰＣ動作により決定された前記最適記録条件に基づいて、前記再フォーマット動作が行なわれるディスク記録再生装置とすることを特徴とするものである。
【００１９】
而して、前記第１又は第２の発明によれば、ディスク初期化動作あるいは再フォーマット動作の開始時において、最適な記録条件を獲得するＯＰＣ動作を実施させることにより、ディスク初期化動作あるいは再フォーマット動作におけるフォーマット情報の記録動作を確実に実施させることが可能であり、ディスク初期化動作あるいは再フォーマット動作の失敗により生じる恐れがあるディスク使用不能の発生頻度を大幅に低減させることができる。
【００２０】
第３の発明は、前記第１又は第２の発明に記載のディスク記録再生装置において、記録可能な前記ディスク上に物理的なあるいは論理的な前記フォーマット情報を最初に記録する前記ディスク初期化動作に先立つ場合、及び／又は、ユーザからの指示により、記録可能な前記ディスク上に記録されている論理的なフォーマット情報を書き換える再フォーマット動作に先立つ場合、のいずれかの場合にのみ、前記ＯＰＣ動作が行なわれるディスク記録再生装置とすることを特徴とするものである。
【００２１】
而して、前記第３の発明によれば、記録可能なディスクがローディングされた場合であってディスク初期化動作及び／又は再フォーマット動作の開始時においてのみＯＰＣ動作を行なうことにより、当該ディスクに対する最適記録条件を獲得し、ディスクのローディングの都度あるいは情報（データ）の記録動作の都度ＯＰＣ動作を実施せずに、ディスク初期化動作及び／又は再フォーマット動作において獲得された最適記録条件に基づいて情報（データ）の記録動作を実施させることにより、ＯＰＣ動作に必要とするディスク上のＯＰＣ領域の無駄な消費を削減させて、真に必要とする場合に確実にＯＰＣ動作を実施させることを可能としているのみならず、ディスク記録再生装置内に設けられている再生情報（データ）一時蓄積用のバッファメモリのメモリ容量を大幅に低減させ、もって、ディスク記録再生装置の価格低減を効果的に達成することができる。
【００２２】
第４の発明は、前記第１乃至第３の発明のいずれかに記載のディスク記録再生装置において、前記ＯＰＣパターン発生手段が発生させる前記ＯＰＣ情報の前記パターンが、予め定められた固定パターンあるいは任意のランダムパターンであるディスク記録再生装置とすることを特徴とするものである。
【００２３】
第５の発明は、前記第４の発明に記載のディスク記録再生装置において、前記再生信号状態測定手段が用いる前記所定の測定方法として、前記ＯＰＣパターン発生手段が発生させる前記ＯＰＣ情報の前記パターンが予め定められた固定パターンである場合には、前記再生信号の振幅情報の測定を行なうものであり、前記ＯＰＣパターン発生手段が発生させる前記ＯＰＣ情報の前記パターンが任意のランダムパターンである場合には、前記再生信号のジッタ値及び／又はデータ誤り率の測定を行なうものであるディスク記録再生装置とすることを特徴とするものである。
【００２４】
第６の発明は、前記第５の発明に記載のディスク記録再生装置において、前記最適記録条件決定手段が決定する前記最適記録条件として、前記再生信号状態測定手段が用いる前記所定の測定方法が前記再生信号の振幅情報の測定を行なうものである場合には、前記再生信号状態測定手段の測定結果が予め定められた基準値に合致又は最も近接する記録条件を選択し、選択された前記記録条件がそのままあるいは前記基準値との近接度合いに基づいて補正した記録条件が適用され、前記再生信号状態測定手段が用いる前記所定の測定方法が前記再生信号のジッタ値及び／又はデータ誤り率の測定を行なうものである場合には、前記再生信号状態測定手段の測定結果が予め定められた基準値以下となっていて、かつ、最小の値を示す記録条件が適用されるディスク記録再生装置とすることを特徴とするものである。
【００２５】
而して、前記第４乃至第６の発明のいずれかによれば、ディスク記録再生装置や適用するディスクの記録特性に応じた最適記録条件を獲得するＯＰＣ動作を、より確実に実施させることを可能としており、ディスク初期化動作時におけるＯＰＣ動作の効果をより向上させることができる。
【００２６】
第７の発明は、前記第１乃至第６の発明のいずれかに記載のディスク記録再生装置において、前記ディスクが、記録膜の状態が結晶状態か非結晶状態かにより情報の記録を行なう相変化材料からなる記録媒体であるディスク記録再生装置とすることを特徴とするものである。
【００２７】
而して、第７の発明によれば、高温の融点あるいは結晶化温度に基づいて情報（データ）の記録再生動作を行なう相変化材料を、記録膜とするディスクを用いることにより、ディスク初期化動作及び／又は再フォーマット動作においてのみＯＰＣ動作を行なうことにより獲得された最適記録条件に基づいて情報（データ）の記録動作を実施させる際に、ディスク初期化動作時及び／又は再フォーマット動作とは異なる周囲温度での記録動作を行なう場合であっても、相変化材料からなる記録膜に記録された情報（データ）の信頼性を確保することができる。
【００２８】
第８の発明は、ディスク形状の記録媒体（以下、ディスクと記す）上にレーザ光を集光させ、情報を記録再生することができるディスク記録再生方法において、最適な記録条件を検出するために予め指定されているパターンからなるＯＰＣ（Optimum  Power  Control：以下、ＯＰＣと記す）情報を、発生させるＯＰＣパターン発生ステップと、該ＯＰＣパターン発生ステップにより発生された前記ＯＰＣ情報を、前記ディスク上の所定位置に予め設けられているＯＰＣ領域に、記録条件を変化させながら、記録させるＯＰＣパターン記録ステップと、該ＯＰＣパターン記録ステップにより記録された前記ＯＰＣ情報を再生させた際の再生信号の状態を、予め定められた所定の測定方法を用いて、測定する再生信号状態測定ステップと、該再生信号状態測定ステップの測定結果に基づいて、最適な記録条件を決定する最適記録条件決定ステップとを備えることにより、前記ディスク上へ情報を記録する際の最適な記録条件を検出し決定するＯＰＣ動作が、前記ディスク上に物理的なあるいは論理的なフォーマット情報を最初に記録するディスク初期化動作に先立って、実行されて、該ＯＰＣ動作により決定された最適な記録条件に基づいて、前記ディスク初期化動作が行なわれるディスク記録再生方法とすることを特徴とするものである。
【００２９】
第９の発明は、ディスク形状の記録媒体（以下、ディスクと記す）上にレーザ光を集光させ、情報を記録再生することができるディスク記録再生方法において、最適な記録条件を検出するために予め指定されているパターンからなるＯＰＣ（Optimum  Power  Control：以下、ＯＰＣと記す）情報を、発生させるＯＰＣパターン発生ステップと、該ＯＰＣパターン発生ステップにより発生された前記ＯＰＣ情報を、前記ディスク上の所定位置に予め設けられているＯＰＣ領域に、記録条件を変化させながら、記録させるＯＰＣパターン記録ステップと、該ＯＰＣパターン記録ステップにより記録された前記ＯＰＣ情報を再生させた際の再生信号の状態を、予め定められた所定の測定方法を用いて、測定する再生信号状態測定ステップと、該再生信号状態測定ステップの測定結果に基づいて、最適な記録条件を決定する最適記録条件決定ステップとを備えることにより、前記ディスク上へ情報を記録する際の最適な記録条件を検出し決定するＯＰＣ動作が、ユーザからの指示により、前記ディスク上に記録されている論理的なフォーマット情報を書き換える再フォーマット動作に先立って、実行されて、該ＯＰＣ動作により決定された最適な記録条件に基づいて、前記再フォーマット動作が行なわれるディスク記録再生方法とすることを特徴とするものである。
【００３０】
而して、前記第８又は第９の発明によれば、ディスク初期化動作あるいは再フォーマット動作の開始時において、最適な記録条件を獲得するＯＰＣ動作を実施させることにより、ディスク初期化動作あるいは再フォーマット動作におけるフォーマット情報の記録動作を確実に実施させることが可能であり、ディスク初期化動作あるいは再フォーマット動作の失敗により生じる恐れがあるディスク使用不能の発生頻度を大幅に低減させることができる。
【００３１】
第１０の発明は、前記第８又は第９の発明に記載のディスク記録再生方法において、記録可能な前記ディスク上に物理的なあるいは論理的な前記フォーマット情報を最初に記録する前記ディスク初期化動作に先立つ場合、及び／又は、ユーザからの指示により、記録可能な前記ディスク上に記録されている論理的なフォーマット情報を書き換える再フォーマット動作に先立つ場合、のいずれかの場合にのみ、前記ＯＰＣ動作が行なわれるディスク記録再生方法とすることを特徴とするものである。
【００３２】
而して、前記第１０の発明によれば、記録可能なディスクがローディングされた場合であって、ディスク初期化動作及び／又は再フォーマット動作の開始時においてのみＯＰＣ動作を行なうことにより、当該ディスクに対する最適記録条件を獲得し、ディスクのローディングの都度あるいは情報（データ）の記録動作の都度ＯＰＣ動作を実施せずに、ディスク初期化動作及び／又は再フォーマット動作において獲得された最適記録条件に基づいて情報（データ）の記録動作を実施させることにより、ＯＰＣ動作に必要とするディスク上のＯＰＣ領域の無駄な消費を削減させて、真に必要とする場合に確実にＯＰＣ動作を実施させることを可能としているのみならず、ディスク記録再生装置内に設けられている再生情報（データ）一時蓄積用のバッファメモリのメモリ容量を大幅に低減させ、もって、ディスク記録再生装置の価格低減を効果的に達成することができる。
【００３３】
第１１の発明は、ディスク形状の記録媒体（以下、ディスクと記す）上にレーザ光を集光させ、情報を記録再生する動作を制御するディスク記録再生プログラムにおいて、前記第８乃至第１０の発明のいずれかに記載の前記ディスク記録再生方法を、コンピュータにより実施させることが可能な制御プログラムとして備えているディスク記録再生プログラムとすることを特徴とするものである。
【００３４】
而して、前記第１１の発明によれば、ディスク記録再生装置のハードウェアの変更を行なうことなく、該ディスク記録再生装置の制御プログラムのみを書き換えることにより、前記第８乃至第１０の発明による作用効果を奏するディスク記録再生装置を実現することが可能であり、新規のディスク記録再生装置のみならず、既設のディスク記録再生装置にも適用することができる。
【００３５】
第１２の発明は、前記第１１の発明に記載の前記ディスク記録再生プログラムを記録させているコンピュータ読み取り可能なプログラム記録媒体とすることを特徴とするものである。
【００３６】
而して、前記第１２の発明によれば、市場に流通するＣＤ−ＲＯＭやＦＤあるいはメモリカードのごときプログラム記録媒体に、前記第１１の発明に記載のディスク記録再生プログラムをパッケージソフトとして記録させることにより、本発明に係るディスク記録再生プログラムを市場から容易に入手することが可能となる。
【００３７】
【発明の実施の形態】
本発明に係るディスク記録再生装置、ディスク記録再生方法、ディスク記録再生プログラム及びプログラム記録媒体の具体的な実施形態の一例について、以下に図面を用いながら説明する。
図１は、本発明に係るディスク記録再生装置の構成の一例を示したブロック構成図である。なお、図１に示すディスク記録再生装置１００においては、ディスク１として、ピックアップ２からのレーザ光のみにより情報（データ）の記録再生を行なう光ディスクの場合を例にとって、光ディスク記録再生装置の構成例を示しているが、本発明は、かかる場合に限るものではなく、レーザ光を用いて、ディスク形状の記録媒体（即ち、ディスク）に情報を記録再生するものであれば、如何なるものであっても良く、例えば、ピックアップからのレーザ光と磁気ヘッドからの磁界により情報の記録再生を行なう光磁気ディスクをディスク１として用いる光磁気ディスク記録再生装置であっても構わない。
【００３８】
即ち、ディスク１としては、ＣＤ−Ｒ／ＲＷ，ＤＶＤ−Ｒ／ＲＷ，ＤＶＤ−ＲＡＭ，ＤＶＤ＋ＲＷなどの追記型／書き換え型光ディスクやＭＯなどの光磁気ディスクのごとく、レーザ光を用いて記録可能なディスクであれば、如何なる記録媒体であっても良い。
【００３９】
次に、図１に示すディスク記録再生装置１００の記録・再生動作の概略について説明する。ユーザがディスク１をディスク記録再生装置１００に装着してローディングすることにより、図１には図示していないスピンドルモータに取り付けられたディスク１は、定角速度（ＣＡＶ：Constant Angular Velocity）あるいは定線速度（ＣＬＶ：Constant Linear Velocity）に基づいて回転する状態となる。かくのごときいずれかの回転速度により回転している状態に至ったディスク１上の指定されたトラック上のセクタ位置に、ピックアップ２より発せられたレーザ光が集光されることにより、ディスク１上に情報の記録又はディスク１上から情報の再生がなされる。以下、ディスク１上の情報に対する通常の記録再生動作について簡単に説明する。
【００４０】
まず、ディスク１上の情報を再生する通常の再生動作について説明する。
ユーザからの再生要求が入力されると、ＣＰＵ７は、メモリ８にある制御プログラムの情報再生部８ｉの動作により、メインバス１１に接続されているアナログ信号処理回路３、復調回路４、ＥＣＣ回路５、Ｉ／Ｆ回路６、記録パルス生成回路９、変調回路１０の各回路部に対して、再生モードに移行するためのコマンドを発行する。しかる後に、ＣＰＵ７は、制御プログラムの情報再生部８ｉの動作と相俟って、ピックアップ駆動回路（図示していない）に対して、ピックアップ２をディスク１上の目的のトラック・セクタ位置にまで移動させるシーク動作を命令する。
【００４１】
ここで、通常、ディスク１上には、予め物理的な手段（例えば、プリピットやＦＭ変調されたウォブルなど）を用いて、ピックアップ２を移動させるべきトラック・セクタ位置を示すアドレスが記録されている。従って、目的のトラック・セクタ位置にピックアップ２を移動させるためには、アナログ信号処理回路３の出力をアドレス検出回路（図示せず）に入力してディスク１上のアドレス（トラック・セクタ位置）を検出し、目的のアドレスと比較しながら、ピックアップ２を移動させることとなる。
【００４２】
所定のアドレスに移動されたピックアップ２から出力されるディスク１上の再生信号は、アナログ信号処理回路３に入力されて、波形等化、ＰＬＬ（Phase  Locked  Loop）によるクロック検出等が行なわれ、検出結果が復調回路４に入力される。復調回路４は、入力信号からまず同期信号を検出することにより情報（データ）復調のためのタイミング信号を生成すると共に、かかる復調用のタイミング信号に基づいて、既定の変調ルールに従って、情報の復調を行なう。復調された情報は、ＥＣＣ回路５に入力され、再生時のノイズやディスク１上の傷・汚れ等により発生したデータ誤りの検出及び訂正を行なう。ＥＣＣ回路５によりデータ誤りの訂正がなされて再生された情報は、Ｉ／Ｆ回路６を介して、後続の回路例えばＡ／ＤコンバータやＭＰＥＧデコーダに出力される。また、Ｉ／Ｆ回路６には、バッファメモリが内蔵されていることが多く、後続の回路との瞬時的な転送レートの差を吸収することが可能である。
【００４３】
次に、ディスク１上に情報を記録する通常の記録動作について説明する。
ユーザからの記録要求が入力されると、ＣＰＵ７は、メモリ８にある制御プログラムの情報記録部８ｈの動作により、メインバス１１に接続されているアナログ信号処理回路３、変調回路４、ＥＣＣ回路５、Ｉ／Ｆ回路６、記録パルス生成回路９、変調回路１０の各回路部に対して、記録モードに移行するためのコマンドを発行する。しかる後に、ピックアップ２は、再生動作の場合と同様に、ディスク１上の目的のアドレスに移動され、記録準備が完了するまで、該アドレスが示す位置でスチル動作を行なう。
【００４４】
ユーザからの記録要求によって動作するＣＰＵ７と制御プログラムの情報記録部８ｈの動作とにより、Ｉ／Ｆ回路６に入力されてきた記録データ（情報）は、ＥＣＣ回路５において誤り訂正用データが付加された後、変調回路１０に入力される。変調回路１０は、既定の変調ルールに従って入力データ（情報）を変調した後、同期信号を付加して後続の記録パルス生成回路９に出力する。記録パルス生成回路９は、最適な記録条件として予め設定された記録パルス幅、記録レーザパワー等に基づいて、入力されてくる変調データ（情報）をディスク１上に記録するための記録パルスに変換し、ピックアップ２に出力する。ピックアップ２は、入力されてくる記録パルスに従って、目的のアドレスから情報の記録を開始して、記録要求として指定されている指定サイズ分だけ、順次、パルス変調されたレーザ光を発光し、指定された記録情報（データ）をディスク１上に記録する。
【００４５】
次に、最適な記録レーザパワー（記録条件）を獲得するＯＰＣ（Optimum  Power  Control）動作について説明する。
ＯＰＣ動作とは、前述したごとく、最適な記録条件を検出するために予め指定されているパターンからなるＯＰＣ情報を用いて、ディスク１上の所定領域（即ちＯＰＣ領域）に対して、記録条件を変化させながら記録し、記録後再生動作を行なうことにより、最適な記録条件（最適な記録レーザパワー）を検出し決定する動作のことであるが、かかるＯＰＣ情報を構成する前記パターンとしては、ディスク記録再生装置１００や適用するディスク１の記録特性に応じて、ＯＰＣ動作用として予め定められた固有の固定パターン、あるいは、ランダムに生成された任意のランダムパターンのいずれかが用いられる。
【００４６】
ここで、ＯＰＣ情報として固定パターンを用いる場合には、ディスク１上のＯＰＣ領域に記録された固定パターンを再生させた再生信号の振幅情報に基づいて、最適記録条件を決定することとなり、一方、ＯＰＣ情報としてランダムパターンを用いる場合には、ディスク１上のＯＰＣ領域に記録されたランダムパターンを再生させた再生信号のジッタ値及び／又はデータ誤り率に基づいて、最適記録条件を決定することとなる。なお、最適記録条件を決定する際に、例えば、再生信号の振幅情報（例えばアシンメトリ度や変調度）が予め定めた基準値に合致又は近接する記録条件、あるいは、再生信号のジッタ値及び／又はデータ誤り率が予め定めた基準値以下となる場合の記録条件の中から適宜選択することにより決定される。
以下の説明に当たっては、前者の固定パターンを用いる場合について述べることとするが、後者のランダムパターンを用いる場合についても略類似の技術を適用することが可能である。
【００４７】
まず、ディスク記録再生装置１００内においてＯＰＣ動作を実施すべき条件として予め設定されている条件が発生していること（即ち、後述するように、ディスク初期化動作あるいは再フォーマット動作の起動指示がなされていること）を、ＣＰＵ７が、メモリ８の制御プログラムのＯＰＣ動作制御部８ａの動作に基づいて検出すると、ＣＰＵ７は、ＯＰＣ動作制御部８ａの動作と相俟って、メインバス１１に接続されているアナログ信号処理回路３、変調回路４、ＥＣＣ回路５、Ｉ／Ｆ回路６、記録パルス生成回路９、変調回路１０の各回路部に対して、ＯＰＣ記録モードとなるようにコマンドを発行する。しかる後に、ＣＰＵ７は、制御プログラムのＯＰＣ動作制御部８ａの動作と相俟って、ピックアップ駆動回路（図示していない）に対して、ピックアップ２をディスク１上のＯＰＣ領域の目的とするセクタ位置にまで移動させるシーク動作を命令する。更に、ＣＰＵ７は、制御プログラムのＯＰＣ動作制御部８ａの動作と相俟って、メモリ８内の制御プログラムのＯＰＣパターン発生部８ｂを起動して、ＯＰＣ領域に対して記録すべきＯＰＣ情報として固定パターンのデータを作成して、メモリ８のＯＰＣ情報領域８ｊに設定する。
【００４８】
更に、ＣＰＵ７は、制御プログラムのＯＰＣ動作制御部８ａの動作と相俟って、メモリ８内の制御プログラムのＯＰＣパターン記録部８ｃを起動する。ピックアップ２がディスク１上のＯＰＣ領域の目的とするセクタ位置まで移動した後、ＣＰＵ７は、ＯＰＣパターン記録部８ｃの動作と相俟って、メモリ８の記録条件領域８ｋに予め登録されている複数の記録条件に基づいて、設定すべき記録条件を記録パルス生成回路９に出力すると共に、メモリ８のＯＰＣ情報領域８ｊに設定されているＯＰＣ情報を、変調回路１０に出力する。変調回路１０は、入力されてくる固定パターンからなるＯＰＣ情報を既定の変調ルールに従って変調した後に同期信号を付加し、記録パルス生成回路９に出力する。
【００４９】
記録パルス生成回路９は、入力されてくる同期信号付きの変調された該ＯＰＣ情報を、ＯＰＣパターン記録部８ｃの動作に基づいてＣＰＵ７から指定された記録条件に従って記録パルスに変換する。なお、ＣＰＵ７から指定される該記録条件は、固定パターンからなる前記ＯＰＣ情報を所定のサイズ分ディスク１上のＯＰＣ領域に記録する都度、順次変更されて設定されるように、ＣＰＵ７は、ＯＰＣパターン記録部８ｃの動作と相俟って、構成されている。
ピックアップ２は、入力されてくる記録パルスに基づいて、パルス変調されたレーザ光を発光し、これにより、ディスク１上のＯＰＣ領域に所定のサイズ毎に異なった記録条件に基づいて順次固定パターンからなるＯＰＣ情報を記録させる。
【００５０】
次に、ＯＰＣパターン記録部８ｃの動作によるディスク１上のＯＰＣ領域へのＯＰＣ情報の記録動作の終了を、ＣＰＵ７が、メモリ８の制御プログラムのＯＰＣ動作制御部８ａの動作に基づいて、検出すると、ＣＰＵ７は、ＯＰＣ動作制御部８ａの動作と相俟って、メインバス１１に接続されているアナログ信号処理回路３、変調回路４、ＥＣＣ回路５、Ｉ／Ｆ回路６、記録パルス生成回路９、変調回路１０の各回路部に対して、ＯＰＣ再生モードとなるようにコマンドを発行する。しかる後に、ＣＰＵ７は、ＯＰＣ動作制御部８ａの動作と相俟って、ピックアップ駆動回路（図示していない）に対して、ピックアップ２をディスク１上のＯＰＣ領域の目的とするセクタ位置にまで移動させるシーク動作を命令する。
【００５１】
更に、ＣＰＵ７は、制御プログラムのＯＰＣ動作制御部８ａの動作と相俟って、メモリ８内の制御プログラムの再生信号状態測定部８ｄを起動する。ピックアップ２がディスク１上のＯＰＣ領域の目的とするセクタ位置まで移動した後、ピックアップ２は、ＯＰＣ領域の目的とするセクタの記録情報から逐次再生動作を行ない、再生信号はアナログ信号処理回路３に入力される。アナログ信号処理回路３は、ピックアップ２から出力されてきた再生信号を、再生信号状態測定部８ｄの動作と相俟ってＣＰＵ７から指示される後述のタイミングに基づいてＡ／Ｄ変換し、変換されたデジタル化再生信号をＣＰＵ７に対して出力する。更に、アナログ信号処理回路３は、ディスク１上の通常の情報（データ）を再生する通常再生動作の場合と同様に、波形等化、ＰＬＬによるクロック検出を行なった後、検出結果を復調回路４に出力する。
【００５２】
復調回路４は、入力信号から同期信号の検出を行ない、同期信号の検出結果をＣＰＵ７に出力する。ＣＰＵ７は、再生信号状態測定部８ｄの動作と相俟って、復調回路４からの同期信号検出結果に基づいて、アナログ信号処理回路３において行なわれるＡ／Ｄ変換のタイミングパルスを生成し、アナログ信号処理回路３に対して出力する。しかる後に、ＣＰＵ７は、再生信号状態測定部８ｄの動作と相俟って、アナログ信号処理回路３から出力されてくるＡ／Ｄ変換結果と復調回路４から出力される同期信号検出結果とに基づいて、ディスク１上のＯＰＣ領域の目的セクタに記録されていた固定パターンからなるＯＰＣ情報の振幅情報、例えばアシンメトリ度や変調度を、ＯＰＣ領域の記録位置にそれぞれ対応させて測定する。
【００５３】
ここで、前述したように、ＣＰＵ７は、ＯＰＣパターン記録部８ｃの動作と相俟って、ディスク１上のＯＰＣ領域に固定パターンからなるＯＰＣ情報を記録する際に、所定のサイズ分毎に記録条件を予め登録されている順に順次変更して記録させているので、ＯＰＣ領域の記録位置が判れば、再生した再生信号（固定パターンからなるＯＰＣ情報の再生信号）に対する記録条件を容易に判別することができる。従って、ＯＰＣ領域の記録位置にそれぞれ対応した振幅情報（例えばアシンメトリ度や変調度）を測定することができるということは、結果的には、各記録条件に対応した振幅情報を測定することができるということになる。
【００５４】
再生信号状態測定部８ｄの動作により測定すべき全ての記録位置に関する振幅情報の測定が終了したことを、ＣＰＵ７が、メモリ８の制御プログラムのＯＰＣ動作制御部８ａ及び再生信号状態測定部８ｄの動作に基づいて、検出すると、ＣＰＵ７は、ＯＰＣ動作制御部８ａの動作と相俟って、メモリ８内の制御プログラムの最適記録条件決定部８ｅを起動して、再生信号状態測定部８ｄの動作により測定された各再生信号の振幅情報の中から、予め定められている基準値に合致する、あるいは、最も近接した値を示している場合の記録条件を選択し、選択された該記録条件（即ち、再生信号の振幅情報が合致する場合には、合致した再生信号を記録した際の記録条件そのもの）、あるいは、該記録条件を補正した補正記録条件（振幅情報が最も近接した値を示している場合には、近接度合いの程度に基づいて補正した記録条件）のいずれかを、最適記録条件として決定し、記録パルス生成回路９に通知すると共に、ディスク１の物理的なフォーマット情報に記録し、更に、メモリ８の最適記録条件領域８ｌに格納する。而して、当該ディスク１に対する以降の記録動作は、ディスク１の物理的なフォーマット情報に記録されている、あるいは、メモリ８の最適記録条件領域８ｌに格納されている最適記録条件に基づいて行なわれることにより、記録情報の信頼性を確実に確保することができる。
【００５５】
以上の一連のＯＰＣ動作（最適な記録条件を探索し決定する動作）が終了したことを、ＣＰＵ７が、メモリ８の制御プログラムのＯＰＣ動作制御部８ａの動作に基づいて、検出すると、ＣＰＵ７は、ＯＰＣ動作制御部８ａの動作と相俟って、メインバス１１に接続されているアナログ信号処理回路３、変調回路４、ＥＣＣ回路５、Ｉ／Ｆ回路６、記録パルス生成回路９、変調回路１０の各回路部に対して、ＯＰＣ再生モードから脱し、新たな指示を待ち合わせる待機モードとなるようにコマンドを発行する。
【００５６】
次に、ディスクのローディング動作に関し、従来技術におけるディスクローディングシーケンスと本発明におけるディスクローディングシーケンスの一例とについて説明する。
まず、図２を用いて、従来技術におけるディスクローディングシーケンスについて説明する。ここに、図２は、従来技術のディスク記録再生装置におけるディスクローディングシーケンスを説明するためのフローチャートである。前述したように、従来のディスク記録再生装置においては、ディスクをローディングする都度、ＯＰＣ動作を行なうように設定されているものであり、図２のフローチャートは、かかるＯＰＣ動作方式を採用したディスク記録再生装置のローディングシーケンスについて示している。
【００５７】
ディスクがディスク記録再生装置内部に装着されて（ステップＳ１）、該ディスクがスピンドルモータに取り付けられて、回転を始めると（ステップＳ２）、ピックアップからのレーザ光がディスク上に集光され（ステップＳ３）、ディスクからの反射光に基づいて、ディスクの種別が判定される（ステップＳ４）。ディスクの種別が判定された結果、記録可能なディスクであると判定された場合（ステップＳ５のＹＥＳ）、最適記録条件を獲得するためのＯＰＣ動作が起動される（ステップＳ６）。かくのごとく、従来のディスク記録再生装置においては、ユーザが、次に当該ディスクに対する情報の記録指示を行なうか否かに関わらず、記録可能なディスクのローディング時には、必ずＯＰＣ動作が行なわれるように設定されている。ＯＰＣ動作により最適記録条件の獲得（検出・決定）に成功した場合には（ステップＳ７のＹＥＳ）、情報の記録再生動作に必要とする物理的なあるいは論理的なフォーマット情報の読み取り動作が実行され（ステップＳ８）、当該ディスクのローディング動作が終了する。
【００５８】
ここで、ＯＰＣ動作に使用されるディスク上のＯＰＣ領域としては、前述したように、有限のサイズ（セクタ数）しか設けられていないので、無駄にＯＰＣ領域を使用すると、情報の記録動作を行なう場合のように、真にＯＰＣ動作結果を確認したい時点では、使用可能なＯＰＣ領域が消費されてしまって、ＯＰＣ動作を実施できなくなる可能性がある。
【００５９】
次に、本発明におけるディスクローディングシーケンスについて説明する。図３は、本発明に係るディスク記録再生装置におけるディスクローディングシーケンスの一例を説明するためのフローチャートである。従来のディスク記録再生装置の場合と同様に、ディスク１がディスク記録再生装置１００内部に装着されると（ステップＳ１１）、ＣＰＵ７に通知されてきて、メモリ８の制御プログラムのディスクローディング部８ｆが起動される。ＣＰＵ７は、ディスクローディング部８ｆの動作と相俟って、該ディスク１をスピンドルモータに取り付け、スピンドルモータにより回転を始めさせると共に（ステップＳ１２）、ピックアップ２からのレーザ光をディスク１上に集光させる（ステップＳ１３）。更に、ＣＰＵ７は、ディスクローディング部８ｆの動作と相俟って、ディスク１からの反射光に基づいて、ディスク１の種別を判定する（ステップＳ１４）。
【００６０】
ここで、本発明においては、ディスク１の種別がたとえ記録可能なディスクであったとしても、図２に示すような従来技術の場合とは異なり、ディスクローディング時には、ＯＰＣ動作は実施することはなく、以降の記録再生動作に必要となる物理的なあるいは論理的なフォーマット情報の取得動作のみを行ない終了する（ステップＳ１５）。
即ち、本発明におけるＯＰＣ動作は、記録可能なディスクがローディングされている場合であって、後述するディスク初期化動作が起動された場合（例えば、記録可能な新品のディスクがローディングされて、物理的なあるいは論理的なフォーマット情報が未だ記録されていないことが検出された場合、又は、ユーザから物理的なあるいは論理的なフォーマット情報を記録する指示がなされた場合など）においてのみ、及び／又は、記録済みのフォーマット情報の書き換えを行なう再フォーマット動作をユーザから指示された場合（例えば、ディスク１上に記録されている論理的なフォーマット情報を、ユーザの指示により、初期状態に復元させるような書き換えの指示がなされた場合など）においてのみ、実施されるものである。
【００６１】
次に、従来技術におけるディスク初期化動作と本発明におけるディスク初期化動作の一例とについて説明する。
まず、図４を用いて、従来技術におけるディスク初期化動作について説明する。ここに、図４は、従来技術のディスク記録再生装置におけるディスクの初期化動作を説明するためのフローチャートである。なお、従来技術に限らず、本発明の場合においても、ディスク記録再生装置は、新品のディスクあるいは物理的フォーマット情報が記録されていないディスクがローディングされたと判定されたとき、あるいは、ユーザからディスク初期化の指示がなされたときに、ディスクの初期化動作が起動される。ここで言うディスクの初期化動作とは、ディスク上に物理的フォーマット情報（例えば、ＣＤ−Ｒ／ＲＷにおいては、ＰＭＡ（Program  Memory  Area）、ＤＶＤ−Ｒ／ＲＷにおいては、ＲＭＡ（Recording  Management  Area）、及び、Physical  format  Information  Zone）、及び／又は、論理的フォーマット情報（Volume  Descriptor，File  System，etc）を記録する動作である。
【００６２】
ディスクの初期化動作が起動されると、従来のディスク記録再生装置においては、直ちに、ディスクのフォーマットを示す物理的フォーマット情報を構築し、該ディスク上の所定のセクタに記録する（ステップＳ２１）。このときの記録条件は、ディスク製造時に、予め記録されていたピットやウォブルから読み込まれた条件あるいは当該ディスク記録再生装置に予め登録記憶されている条件に基づいて設定される。ここで、ディスク上に記録される物理的フォーマット情報が読み込めなくなると、記録再生が不可能なディスクになってしまうため、物理的フォーマット情報を記録した直後に、記録された物理的フォーマット情報の読み込みを行なって、読み込んだ物理的フォーマット情報に誤りがないか確認すると共に誤りがあったとしても誤り訂正が可能であった場合には、読み込んだ物理的フォーマット情報と元の情報との照合を行なう。
【００６３】
照合結果が一致している場合（ステップＳ２２のＹＥＳ）、次のステップＳ２４に移行する。読み込みデータ（即ち、ディスクに記録した物理的フォーマット情報）が元の情報と一致していない場合、あるいは、物理的フォーマット情報の誤り訂正が不能の状態であった場合（ステップＳ２２のＮＯ）、所定の繰り返し回数即ち記録時Ｒｅｔｒｙの制限回数以上に亘っているか否かを確認し、記録時Ｒｅｔｒｙの制限回数以内であれば（ステップＳ２３のＮＯ）、再度、物理的フォーマット情報の記録を繰り返し、一方、記録時Ｒｅｔｒｙの回数制限を超えている場合は（ステップＳ２３のＹＥＳ）、ディスク初期化動作の失敗として異常終了する。
【００６４】
一方、物理的フォーマット情報が正常に記録されていた場合においては（ステップＳ２２のＹＥＳ）、ディスク記録再生装置は、ディスクの論理的フォーマット情報を構築して、ディスクの所定のセクタに記録する（ステップＳ２４）。論理的フォーマット情報についても、該論理的フォーマット情報が読み込めなくなると、記録再生が不可能なディスクになってしまうため、物理的フォーマット情報の場合と同様に、記録した直後に論理的フォーマット情報の読み込みを行なって、記録した論理的フォーマット情報と元の情報との照合を行ない（ステップＳ２５）、照合結果が異常であった場合（ステップＳ２５のＮＯ）、所定の繰り返し回数即ちＲｅｔｒｙ制限回数に至っていない場合であれば（ステップＳ２６のＮＯ）、論理的フォーマット情報に関する再記録を行ない、所定の繰り返し回数即ちＲｅｔｒｙ制限回数を超えた場合には（ステップＳ２６のＹＥＳ）、ディスク初期化動作の失敗として異常終了する。一方、論理的フォーマット情報が正常に記録することができた場合には（ステップＳ２５のＹＥＳ）、ディスク初期化動作は正常に完了する。
【００６５】
次に、本発明におけるディスク初期化動作について説明する。図５は、本発明に係るディスク記録再生装置におけるディスクの初期化動作の一例を説明するためのフローチャートである。
本発明においては、ディスク初期化動作の起動条件が成立していることが、ＣＰＵ７に通知されてきた場合（例えば、物理的なフォーマット情報が記録されていないディスクがローディングされていることを検出した場合、あるいは、ユーザが指示している場合など）には、ＣＰＵ７は、メモリ８の制御プログラムのディスク初期化部８ｇを起動して、図５に示す初期化動作を起動する。
【００６６】
本発明においては、前述のごとく、まず、ディスク１の初期化動作を確実に実施できる最適記録条件を獲得するために、メモリ８の制御プログラムのＯＰＣ動作制御部８ａを動作させて、ＯＰＣ動作を行ない、最適な記録条件を求める（ステップＳ３１）。ＯＰＣ動作が完了して、最適な記録条件が獲得された場合には（ステップＳ３２のＹＥＳ）、メモリ８の最適記録条件領域８ｌに設定されている獲得された最適記録条件に基づいて、記録パルス生成回路９の記録レーザパワーの出力レベルや記録パルス幅を設定し、図４に示す従来のディスク記録再生装置の場合と全く同様に、物理的なあるいは論理的なフォーマット情報をディスク１の所定のセクタに記録する（ステップＳ３３乃至Ｓ３８）。
【００６７】
而して、本発明においては、記録可能なディスク１がローディングされた後において、図５に示すごとく、ディスク１に対する最初の書き込み動作となるディスク初期化動作が開始されるに当たって、始めてＯＰＣ動作を行なうこととしているため、従来のディスク記録再生装置における図２に示すように、ディスクがローディングされる都度、自動的にＯＰＣ動作を行なう場合に比し、不必要にディスク上のＯＰＣ領域を消費することもなく、真に必要とする場合において効果的に最適な記録条件を求めることができる。
【００６８】
また、前述した図４のフローチャートにおいて説明したように、従来のディスク記録再生装置においては、ディスクの製造メーカにより予めディスクに書き込まれている記録条件、あるいは、ディスク記録再生装置に予め登録されている記録条件に基づいて、物理的なあるいは論理的なフォーマット情報が記録されることとなるために、ディスクメーカが記録条件をディスクに書き込む際に用いたピックアップと該ディスクに対してディスク初期化動作を実施するディスク記録再生装置のピックアップとの特性が互いに異なる場合や、あるいは、ディスク記録再生装置には登録されていない種類のディスクをローディングしてディスク初期化動作を行なう場合には、物理的なあるいは論理的なフォーマット情報を正確に記録することができない場合も発生している。
【００６９】
しかしながら、本発明に係るディスク記録再生装置１００にあっては、図５のフローチャートに示すように、ディスク１の初期化動作に先立って、必ずＯＰＣ動作が行なわれるため、物理的なあるいは論理的なフォーマット情報の記録動作は、最適な記録条件に基づいてなされることとなり、記録された物理的なあるいは論理的なフォーマット情報に対する信頼性を大幅に向上させることができる。
【００７０】
なお、図５においては、ディスク１に対して始めてフォーマット情報を記録するディスク初期化動作の場合には、かかるフォーマット情報の記録動作に先立って、最適記録条件を獲得するＯＰＣ動作が実施される場合について説明したが、本発明に係るディスク記録再生装置１００においては、かかる場合のみではなく、前述したように、ディスク１上に記録されている論理的なフォーマット情報をユーザの指示により書き換える再フォーマット動作の場合においても、該再フォーマット動作に先立って、ＯＰＣ動作が実施される。而して、ディスク初期化動作及び再フォーマット動作のいずれにおいても、獲得された最適な記録条件に基づいて確実にフォーマット情報の記録や再記録を行なうことができる。
【００７１】
また、本発明においては、記録可能なディスク１がローディングされた場合に、ディスク初期化動作及び／又は再フォーマット動作の実施に先立ってＯＰＣ動作が実施されるのみであり、ディスク１のローディング動作の都度、あるいは、情報（データ）のディスク１上への記録開始や記録再開の都度、更には、記録動作中のエラー発生時や周囲温度変化の都度、ＯＰＣ動作を行なわせないようにすることも可能としている。
【００７２】
次に、従来技術における記録開始時のシーケンスと本発明における記録開始時のシーケンスの一例とについて説明する。
まず、図６を用いて、従来技術における記録開始時のシーケンスについて説明する。ここに、図６は、従来のディスク記録再生装置におけるディスクの記録開始シーケンスを説明するためのフローチャートである。
従来のディスク記録再生装置においては、ユーザから記録開始の指示があった場合、まず、ＯＰＣ動作が行なわれる（ステップＳ４１）。ＯＰＣ動作が正常に行なわれて、最適な記録条件が獲得された場合（ステップＳ４２のＹＥＳ）、ＯＰＣ動作結果として得られた最適な記録条件を記録条件として設定すると共に、記録動作に必要とする各種の記録準備がなされた後（ステップＳ４３）、記録準備により設定された記録条件に基づいてディスクへの情報の記録動作が開始される（ステップＳ４３）。
【００７３】
ここで、ＯＰＣ動作としては、前述したごとく、ＯＰＣ領域へのアクセス動作、及び、固定パターンなどからなるＯＰＣ情報の記録動作及び再生動作が含まれているため、ＯＰＣ実行時間としては最悪数秒程度を要する場合も存在する。しかも、かかるＯＰＣ動作は、ユーザからの記録指示がなされてから実行されるために、例えば、ディスク記録再生装置に内蔵されているバッファメモリ（即ち、本発明に係るディスク記録再生装置１００の場合のＩ／Ｆ回路６に内蔵されているバッファメモリに相当しているメモリ）としては、ＯＰＣ動作の実行に要する時間即ち前記数秒分の情報（データ）を、換言すれば、ＯＰＣ動作が終了するまでの間にディスク記録再生装置に入力されてくる記録用情報（データ）を、蓄積可能なメモリ容量が必要である。
【００７４】
次に、本発明における記録開始時のシーケンスについて説明する。図７は、本発明に係るディスク記録再生装置におけるディスクの記録開始シーケンスの一例を説明するためのフローチャートである。
本発明におけるディスク記録再生装置１００においては、図５のフローチャートにおいて説明したように、ディスク１の初期化動作あるいは再フォーマット動作に先立ってのみＯＰＣ動作を行ない、ディスク１への情報（データ）の記録開始時に当たっては、ＯＰＣ動作を行なわないこととしている。従って、ユーザから記録開始の指示があった場合、ＣＰＵ７は、メモリ８にある制御プログラムの情報記録部８ｈを起動して、直ちに、記録動作に必要とする各種の記録準備を行なわせ（ステップＳ５１）、しかる後に、情報（データ）の記録動作を開始させる（ステップＳ５２）。
【００７５】
而して、ユーザの記録開始指示から、実際にディスク１への情報（データ）の記録動作が開始されるまでに要する時間が、比較的短時間で済み、結果として、図６に示すように記録動作に先立ってＯＰＣ動作を実行する従来のディスク記録再生装置に比し、図１に示すディスク記録再生装置１００のＩ／Ｆ回路６に内蔵されているバッファメモリのメモリ容量を大幅に低減することができるため、ディスク記録再生装置１００のコストダウンを図ることが可能となる。
【００７６】
また、ＯＰＣ動作の結果である最適記録条件は、ＯＰＣ動作の終了後に、メモリ８の最適記録条件領域８ｌのみならず、ディスクの物理的なフォーマット情報にも記録されている。而して、初期化済みのディスク（即ち、図５に示す初期化動作が完了しているディスク）を、ディスク記録再生装置１００にローディングして、記録動作を開始しようとする場合には、図３にて説明したように、ディスク１のローディング時に読み取られている物理的フォーマット情報の中から、以前のＯＰＣ動作結果である最適記録条件を取得し、取得された最適記録条件に基づいて情報の記録動作を行なわせることとすれば、最適な記録レーザパワーや最適な記録パルス幅に基づいて情報（データ）をディスク１上に確実に記録させることができる。
【００７７】
一方、ＤＶＤ−ＲＷやＣＤ−ＲＷなどの書き換え可能な光ディスクの記録膜としては、相変化材料からなる合金膜が採用されており、レーザ光の集光により記録膜を融点あるいは結晶化温度にまで上昇させることにより、相変化材料からなる合金膜の状態を結晶状態と非結晶状態との間の遷移を行なわせて、情報（データ）の記録消去を行なっている。かかる相変化材料の合金膜を用いた情報（データ）の記録消去動作時においては、記録膜の温度が数百〜千数百℃もの高温に達することになるために、記録膜として例えば垂直磁化膜の磁化方向の変化を利用して情報（データ）の記録消去を行なっている従来の光磁気ディスクなどに比べると、周囲温度の変化の影響は少なくなる。もって、従来技術のように、記録動作の開始に当たって、改めてＯＰＣ動作を行なうことにより、周囲温度の変化に伴う最適な記録条件を獲得する動作を毎回行なうこととしなくても、ディスクの初期化動作時あるいは再フォーマット動作時に獲得された最適な記録条件に基づいて、記録動作を行なわせることとしても、記録された情報（データ）に対する信頼性を維持することができる。
【００７８】
更には、最近の記録膜を構成する相変化材料や記録膜の成膜技術等の改良により記録レーザパワーや記録パルス幅の若干のばらつきに対する情報記録マージンなども大幅に改善されてきているため、周囲温度変化による最適記録条件の変化のみならず、ディスクの半径方向の位置による最適記録条件の若干のばらつきなどがあったとしても、ディスク上に記録される情報（データ）の信頼性に与える影響は非常に少なくなってきている。
【００７９】
従って、かくのごとき相変化材料を記録膜の材料としたディスクを用いることにより、ディスク初期化動作あるいは再フォーマット動作においてのみＯＰＣ動作を行なうことにより最適記録条件を獲得し、ディスクのローディングの都度あるいは情報（データ）の記録動作の都度ＯＰＣ動作を実施せずに、ディスク初期化動作あるいは再フォーマット動作において獲得された最適記録条件に基づいて情報（データ）の記録動作を実施させることとしても、相変化材料からなる記録膜に記録された情報（データ）の信頼性を確保することができる。
【００８０】
以上に説明したように、本発明に係るディスク記録再生装置１００にあっては、ディスク初期化動作（ディスク初期化未実施の新品ディスクのローディング時やユーザの指示によるフォーマット情報の記録動作）及び／又は再フォーマット動作（記録済みの論理的なフォーマット情報の書き換え動作）の開始に先立って、最適な記録条件を獲得するＯＰＣ動作を実施させることにより、ディスク初期化動作及び／又は再フォーマット動作におけるフォーマット情報の記録動作を確実に実施させることが可能であり、ディスク初期化動作あるいは再フォーマット動作の失敗により生じる恐れがあるディスク使用不能の発生頻度を大幅に低減させることができる。
【００８１】
更には、記録可能なディスク１がローディングされた場合であって、ディスク初期化動作及び／又は再フォーマット動作の開始時においてのみＯＰＣ動作を行なうことにより、当該ディスク１に対する最適記録条件を獲得し、ディスク１のローディングの都度あるいは情報（データ）の記録動作の都度ＯＰＣ動作を実施せずに、ディスク初期化動作及び／又は再フォーマット動作において獲得された最適記録条件に基づいて情報（データ）の記録動作を実施させることにより、ＯＰＣ動作に必要とするディスク１上のＯＰＣ領域の無駄な消費を削減させて、真に必要とする場合に確実にＯＰＣ動作を実施させることを可能としているのみならず、ディスク記録再生装置１００内に設けられている再生情報（データ）一時蓄積用のバッファメモリのメモリ容量を大幅に低減させ、もって、ディスク記録再生装置１００の価格低減を効果的に達成することができる。
【００８２】
更に、本発明に係るディスク記録再生装置１００にあっては、従来のディスク記録再生装置のハードウェアを全く変更することなく、図３、図５、図７のフローチャートに示すごとく、ディスク記録再生装置１００の制御プログラムを変更することのみにより実現することが可能であり、新規のディスク記録再生装置のみならず、既設のディスク記録再生装置の場合に対しても、制御プログラムを書き換えるのみで効果的に適用することができる。
【００８３】
なお、前述した実施例においては、ＯＰＣ動作として、固定パターンからなるＯＰＣ情報を記録し、固定パターンからなる該ＯＰＣ情報の再生信号の振幅情報から最適記録条件を決定する手法について説明したが、本発明においては、他の手法を用いたＯＰＣ動作としても良い。例えば、前述のごとく、ランダムパターンからなるＯＰＣ情報を記録し、ランダムパターンからなる該ＯＰＣ情報の再生信号のジッタ値及び／又はデータ誤り率が予め定められた基準値以下であるものの中から、最小の値を示す記録条件を、最適記録条件とする手法を用いても良い。
【００８４】
【発明の効果】
以上に説明したように、本発明に係るディスク記録再生装置、ディスク記録再生方法、ディスク記録再生プログラム及びプログラム記録媒体によれば、以下のごとき作用効果を奏することができる。
即ち、本発明に係るディスク記録再生装置、ディスク記録再生方法、ディスク記録再生プログラム及びプログラム記録媒体においては、ディスク初期化動作（ディスク初期化未実施の新品ディスクのローディング時やユーザからのディスク初期化の指示などによるフォーマット情報の記録動作）あるいは再フォーマット動作（記録済みの論理的なフォーマット情報の書き換え要求発生などにによるフォーマット情報の再記録動作）の開始に先立って、最適な記録条件を獲得するＯＰＣ動作を実施させることにより、ディスク初期化動作あるいは再フォーマット動作におけるフォーマット情報の記録動作を確実に実施させることが可能であり、ディスク初期化動作あるいは再フォーマット動作の失敗により生じる恐れがあるディスク使用不能の発生頻度を大幅に低減させることができる。
【００８５】
更には、記録可能なディスクがローディングされた場合であって、ディスク初期化動作及び／又は再フォーマット動作の開始時においてのみＯＰＣ動作を行なうことにより、当該ディスクに対する最適記録条件を獲得し、ディスクのローディングの都度あるいは情報（データ）の記録動作の都度ＯＰＣ動作を実施せずに、ディスク初期化動作及び／又は再フォーマット動作において獲得された最適記録条件に基づいて情報（データ）の記録動作を実施させることにより、ＯＰＣ動作に必要とするディスク上のＯＰＣ領域の無駄な消費を削減させて、真に必要とする場合に確実にＯＰＣ動作を実施させることを可能としているのみならず、ディスク記録再生装置内に設けられている再生情報（データ）一時蓄積用のバッファメモリのメモリ容量を大幅に低減させ、もって、ディスク記録再生装置の価格低減を効果的に達成することができる。
【００８６】
更に、本発明に係るディスク記録再生装置にあっては、従来のディスク記録再生装置のハードウェアを全く変更することなく、ディスク記録再生装置の制御プログラムを変更することのみにより、前述のごとき作用効果を奏するディスク記録再生装置を実現することが可能であり、新規のディスク記録再生装置のみならず、既設のディスク記録再生装置の場合に対しても、効果的に適用することができる。
【００８７】
更には、高温の融点あるいは結晶化温度に基づいて情報（データ）の記録再生動作を行なう相変化材料からなる合金膜を、記録膜とするディスクを用いることにより、ディスク初期化動作及び／又は再フォーマット動作においてのみＯＰＣ動作を行なうことにより獲得された最適記録条件に基づいて情報（データ）の記録動作を実施させる際に、ディスク初期化動作時とは異なる周囲温度での記録動作を行なう場合であっても、相変化材料からなる記録膜に記録された情報（データ）の信頼性を確保することができる。
【図面の簡単な説明】
【図１】本発明に係るディスク記録再生装置の構成の一例を示したブロック構成図である。
【図２】従来技術のディスク記録再生装置におけるディスクローディングシーケンスを説明するためのフローチャートである。
【図３】本発明に係るディスク記録再生装置におけるディスクローディングシーケンスの一例を説明するためのフローチャートである。
【図４】従来技術のディスク記録再生装置におけるディスクの初期化動作を説明するためのフローチャートである。
【図５】本発明に係るディスク記録再生装置におけるディスクの初期化動作の一例を説明するためのフローチャートである。
【図６】従来のディスク記録再生装置におけるディスクの記録開始シーケンスを説明するためのフローチャートである。
【図７】本発明に係るディスク記録再生装置におけるディスクの記録開始シーケンスの一例を説明するためのフローチャートである。
【符号の説明】
１…ディスク、２…ピックアップ、３…アナログ信号処理回路、４…復調回路、５…ＥＣＣ回路、６…Ｉ／Ｆ回路、７…ＣＰＵ、８…メモリ、８ａ…ＯＰＣ動作制御部、８ｂ…ＯＰＣパターン発生部、８ｃ…ＯＰＣパターン記録部、８ｄ…再生信号状態測定部、８ｅ…最適記録条件決定部、８ｆ…ディスクローディング部、８ｇ…ディスク初期化部、８ｈ…情報記録部、８ｉ…情報再生部、８ｊ…ＯＰＣ情報領域、８ｋ…記録条件領域、８ｌ…最適記録条件領域、９…記録パルス生成回路、１０…変調回路、１１…メインバス、１００…ディスク記録再生装置。
【図１】
2004199746.tif 000003
【図２】
2004199746.tif 000004
【図３】
2004199746.tif 000005
【図４】
2004199746.tif 000006
【図５】
2004199746.tif 000007
【図６】
2004199746.tif 000008
【図７】
2004199746.tif 000009